(57)【要約】【課題】暗視野観察や蛍光観察を行う際にも、顕微鏡周辺の環境を暗くする必要がない顕微鏡カバー、顕微鏡カバーを収容可能な顕微鏡、および顕微鏡カバー収容箱を提供する。【解決手段】  本発明の顕微鏡カバー１０は、開口部１１を有する袋状をなし、顕微鏡１００に装着した際、接眼レンズ８を露出させる接眼レンズ穴１４を有し、光非透過性のシート状材料からなるカバー本体部１３と、カバー本体部１３に取り付けられ、接眼レンズ穴１４を開閉自在に被覆する蓋１５と、顕微鏡１００と着脱可能に係合するカバーホック１８と、を備える。【選択図】図１
2012123203.tif 000002
【特許請求の範囲】
【請求項１】
開口部を有する袋状の顕微鏡カバーであって、
顕微鏡に装着した際、前記顕微鏡の接眼レンズを露出させる穴部を有し、光非透過性のシート状材料からなるカバー本体部と、
前記カバー本体部に取り付けられ、前記穴部を開閉自在に被覆する蓋部と、
前記顕微鏡と着脱可能に係合する係合手段と、
を備えることを特徴とする顕微鏡カバー。
【請求項２】
前記穴部は、前記接眼レンズと略同一径であることを特徴とする請求項１に記載の顕微鏡カバー。
【請求項３】
前記蓋部を開いた状態で前記接眼レンズを露出させたまま前記蓋部を固定する蓋保持部を備えることを特徴とする請求項１又は２に記載の顕微鏡カバー。
【請求項４】
前記係合手段は前記開口部近傍に形成されることを特徴とする請求項１〜３のいずれかひとつに記載の顕微鏡カバー。
【請求項５】
前記係合手段は前記カバー本体部の中間部に形成され、
前記カバー本体部は、
前記係合手段が形成された前記中間部から前記開口部にかけて少なくとも１箇所以上のスリットが形成されたカバー開閉部と、
前記カバー開閉部を上部に折り上げたまま前記カバー開閉部を固定するカバー開閉保持部と、
を備えることを特徴とする請求項１〜３のいずれかひとつに記載の顕微鏡カバー。
【請求項６】
前記カバー上部に形成された運搬用保持部を備えることを特徴とする請求項１〜５のいずれかひとつに記載の顕微鏡カバー。
【請求項７】
請求項１〜６のいずれか一つに記載の顕微鏡カバーを装着する顕微鏡であって、
前記顕微鏡本体背面に形成され、前記顕微鏡カバーを折りたたんで収容する収容部と、
前記収容部に取り付けられる開閉可能な蓋部と、
前記蓋部の内側に形成された前記顕微鏡カバーを固定する接合部と、
前記顕微鏡カバーと着脱可能な係合手段と、
を備えることを特徴とする顕微鏡。
【請求項８】
請求項１〜６のいずれか一つに記載の顕微鏡カバーを収容する顕微鏡カバー収容箱であって、
前記顕微鏡カバーを折りたたんで収容する、内部が空洞の矩形状の収容部と、
前記収容部に取り付けられる開閉可能な蓋部と、
前記蓋部の内側に形成された前記顕微鏡カバーを固定する接合部と、
前記蓋部の反対側に形成され、顕微鏡本体に着脱可能に係合される係合手段と、
を備えることを特徴とする顕微鏡カバー収容箱。
【発明の詳細な説明】
【技術分野】
【０００１】
本発明は、顕微鏡保管時に使用する顕微鏡カバー、該顕微鏡カバーを収容可能な顕微鏡、および顕微鏡カバー収容箱に関するものである。
【背景技術】
【０００２】
従来、顕微鏡を用いた観察を行う場合には、観察の終了後、接眼レンズなどの光学系に埃が付かないように、顕微鏡本体にカバーをかけて保管している。保管用のロッカーが別に存在する場合には、顕微鏡を保管用ロッカーまで移動させて保管を行っている。また、顕微鏡の保管に木箱を使用する場合は、観察場所まで木箱に収容したまま運搬し、木箱から顕微鏡を出して観察を行った後、再び木箱に収容して、保管用ロッカーまで搬送し、保管している。
【先行技術文献】
【特許文献】
【０００３】
【特許文献１】特開平９−３１１２８０号公報
【発明の概要】
【発明が解決しようとする課題】
【０００４】
しかしながら、保管時に使用するカバーは、顕微鏡使用時には不要となるため、置き場所に困る。また、カバーをかけた状態で、顕微鏡を保管用ロッカーに搬送する場合、かけたカバーにより内部の顕微鏡が見えないため、顕微鏡の持ってはいけない部分をつかんで破損してしまったり、顕微鏡の観察精度を悪化させてしまうおそれがあった。
【０００５】
また、保管に木箱を使用する場合にも、顕微鏡使用時の木箱の置き場の問題に加え、木箱自体が大きく重いため、持ち運びが大変であり、搬送の際に木箱を体にぶつけて怪我をするおそれもある。
【０００６】
一方、顕微鏡観察において、暗視野観察や蛍光観察を行う際、標本からの反射光が微弱である場合は、観察光が周囲からの光に影響を受けないよう、部屋全体を暗くしたり、暗室に顕微鏡を持ち込んで観察を行う必要があった。
【０００７】
本発明は、上記に鑑みてなされたものであって、搬送が容易で、顕微鏡観察時のカバーの置き場所を確保する必要がなく、さらに、暗視野観察や蛍光観察を行う際にも、顕微鏡周辺の環境を暗くする必要がない顕微鏡カバー、顕微鏡カバーを収容可能な顕微鏡、および顕微鏡カバー収容箱を提供することを目的とする。
【課題を解決するための手段】
【０００８】
上述した課題を解決し、目的を達成するために、本発明の顕微鏡カバーは、開口部を有する袋状の顕微鏡カバーであって、顕微鏡に装着した際、前記顕微鏡の接眼レンズを露出させる穴部を有し、光非透過性のシート状材料からなるカバー本体部と、前記カバー本体部に取り付けられ、前記穴部を開閉自在に被覆する蓋部と、前記顕微鏡と着脱可能に係合する係合手段と、を備えることを特徴とする。
【０００９】
また、本発明の顕微鏡カバーは、上記発明において、前記穴部は、前記接眼レンズと略同一径であることを特徴とする。
【００１０】
また、本発明の顕微鏡カバーは、上記発明において、前記蓋部を開いた状態で前記接眼レンズを露出させたまま前記蓋部を固定する蓋保持部を備えることを特徴とする。
【００１１】
また、本発明の顕微鏡カバーは、上記発明において、前記係合手段は前記開口部近傍に形成されることを特徴とする。
【００１２】
また、本発明の顕微鏡カバーは、上記発明において、前記係合手段は前記カバー本体部の中間部に形成され、前記カバー本体部は、前記係合手段が形成された前記中間部から前記開口部にかけて少なくとも１箇所以上のスリットが形成されたカバー開閉部と、前記カバー開閉部を上部に折り上げたまま前記カバー開閉部を固定するカバー開閉保持部と、を備えることを特徴とする。
【００１３】
また、本発明の顕微鏡カバーは、上記発明において、前記カバー上部に形成された運搬用保持部を備えることを特徴とする。
【００１４】
また、本発明の顕微鏡は、上記のいずれか一つに記載の顕微鏡カバーを装着する顕微鏡であって、前記顕微鏡本体背面に形成され、前記顕微鏡カバーを折りたたんで収容する収容部と、前記収容部に取り付けられる開閉可能な蓋部と、前記蓋部の内側に形成された前記顕微鏡カバーを固定する接合部と、前記顕微鏡カバーと着脱可能な係合手段と、備えることを特徴とする。
【００１５】
また、本発明の顕微鏡収容箱は、上記のいずれか一つに記載の顕微鏡カバーを収容する顕微鏡カバー収容箱であって、前記顕微鏡カバーを折りたたんで収容する、内部が空洞の矩形状の収容部と、前記収容部に取り付けられる開閉可能な蓋部と、前記蓋部の内側に形成された前記顕微鏡カバーを固定する接合部と、前記蓋部の反対側に形成され、顕微鏡本体に着脱可能に係合される係合手段と、を備えることを特徴とする。
【発明の効果】
【００１６】
本発明にかかる顕微鏡カバー、顕微鏡および顕微鏡カバー収容箱は、検鏡者の要求に応じて、顕微鏡カバーを顕微鏡に着脱可能とし、該顕微鏡カバーを顕微鏡に装着しない場合も、該顕微鏡カバーを収容可能とすることにより、顕微鏡観察時のカバーの置き場所を確保する必要がなく、搬送が容易で、さらに、暗視野観察や蛍光観察を行う際にも、部屋の明るさ等の顕微鏡周辺の環境を整える必要がなく、作業効率を向上することが可能となる。
【図面の簡単な説明】
【００１７】
【図１】図１は、実施の形態１にかかる顕微鏡カバーの収容部を備えた顕微鏡の概略構成を示す斜視図である。
【図２】図２は、図１の顕微鏡カバーを顕微鏡に装着した場合の外観の一例を示す斜視図である。
【図３】図３は、図１の顕微鏡カバーの一部拡大図である。
【図４】図４は、図１の顕微鏡カバーを顕微鏡に装着し、観察を行う場合の外観の一例を示す斜視図である。
【図５】図５は、実施の形態２にかかる顕微鏡カバーの概略構成を示す斜視図である。
【図６】図６は、図５の顕微鏡カバーを顕微鏡に装着した場合の外観の一例を示す斜視図である。
【図７】図７は、実施の形態３にかかる顕微鏡カバーを顕微鏡に装着した場合の外観の一例を示す斜視図である。
【図８】図８は、実施の形態４にかかる顕微鏡カバー収容箱を顕微鏡に取り付ける一例を示す斜視図である。
【発明を実施するための形態】
【００１８】
以下に、本発明にかかる顕微鏡カバーの実施の形態を図面に基づいて詳細に説明する。なお、本発明は、これらの実施の形態に限定されるものではなく、本発明の要旨を逸脱しない範囲で種々の変更が可能である。
【００１９】
（実施の形態１）
図１は、顕微鏡カバーを収容する収容部を備えた顕微鏡の概略構成を示す斜視図である。図２は、本発明の実施の形態１にかかる顕微鏡カバーを顕微鏡に装着した場合の外観の一例を示す斜視図である。図３は、本発明の実施の形態１にかかる顕微鏡カバーの一部拡大図である。図４は、顕微鏡カバーを顕微鏡に装着し、観察を行う場合の外観の一例を示す斜視図である。
【００２０】
図１に示す顕微鏡１００は、標本１が載置されるステージ２と、ステージ２を支持するとともにレボルバ３を介して対物レンズ４を保持する顕微鏡本体５と、顕微鏡本体５を支持するベース部６と、顕微鏡本体５の上部に載置された鏡筒７と、対象標本１の標本像を目視観察するための接眼レンズ８と、を備える。
【００２１】
また、顕微鏡１００は、顕微鏡本体５の背面側に、顕微鏡カバー１０を収容する収容部２０を備える。収容部２０には、開閉可能な開閉蓋２１が取り付けられ、開閉蓋２１の内側には顕微鏡カバー１０を固定する接合部２２が形成されている。
【００２２】
顕微鏡カバー１０は、顕微鏡１００の保管の際、顕微鏡１００に装着して接眼レンズ８などの光学系への埃の付着を防止する。顕微鏡カバー１０は、開口部１１と、閉じた端部１２とを有する袋状をなし、開口部１１を介して顕微鏡カバー１０を顕微鏡１００にかぶせて装着する。顕微鏡カバー１０は、顕微鏡１００に装着した際、顕微鏡１００の接眼レンズ８を露出させる穴部１４を有し、光非透過性のシート状材料からなるカバー本体部１３と、接眼レンズ穴１４を開閉自在に被覆するシート状の蓋１５と、顕微鏡１００と着脱可能に係合する係合部であるカバーホック１８と、を備える。
【００２３】
カバー本体部１３は、光非透過性の材料からなる。このような材料として、例えば、黒色の布や、可撓性を有するプラスチック材料に金属蒸着膜を形成したシート、または光非透過染料などを混合して形成された可撓性のプラスチックシートなどを使用できる。黒色の布が、入手容易性等の観点で好ましい。接眼レンズ穴１４は、接眼レンズ８と略同一径とすることが、防塵や遮光の点で好ましい。本実施の形態１では、接眼レンズ穴１４を接眼レンズ８にあわせて２ケ所形成しているが、単眼鏡筒の場合は、接眼レンズ穴１４を１個形成すればよい。
【００２４】
接眼レンズ穴１４の上部には、カバー本体部１３と同一の材質で形成されたシート状の蓋１５が形成される。蓋１５の上端部は、蓋固定部１６によりカバー本体部１３に固定されている。蓋１５の下端部には、カバー本体部１３に形成された蓋係合部２４と着脱可能に係合する蓋係合部２３が設けられる。また、蓋１５の上方には、蓋１５を開いて接眼レンズ８を露出する際、接眼レンズ８の露出を保持するよう蓋１５を着脱可能に係合する蓋保持部１７が設けられる。蓋係合部２３と蓋係合部２４との係合を解除して、蓋１５を引き上げて蓋係合部２３と蓋保持部１７とを係合させることにより、蓋１５を開いたままの状態で固定して、接眼レンズ穴１４を介して接眼レンズ８を露出させる。蓋係合部２３、蓋係合部２４および蓋保持部１７は、面ファスナーなどで形成され、例えば、蓋係合部２３をフック状に起毛したファスナーとし、蓋係合部２４および蓋保持部１７をループ状に起毛したファスナーとすることで着脱可能となる。蓋係合部２３をループ、蓋係合部２４および蓋保持部１７をフックとしてもよい。あるいは、マグネットシートなども使用できる。
【００２５】
カバー本体部１３の開口部１１近傍には、顕微鏡１００と係合する係合手段としてのカバーホック１８が形成される。本実施の形態１では、開口部１１近傍に略均等な間隔をおいて、カバーホック１８ａ、１８ｂ、１８ｃ、および１８ｄが、計４個設けられている。また、顕微鏡１００のベース部６には、カバーホック１８ａ、１８ｂ、１８ｃ、および１８ｄと着脱可能に係合するベースホック１９ａ、１９ｂ、１９ｃ、および１９ｄが形成され、カバーホック１８ａ、１８ｂ、１８ｃ、および１８ｄと、ベースホック１９ａ、１９ｂ、１９ｃ、および１９ｄとを、それぞれ係合して、顕微鏡カバー１０を顕微鏡１００に装着する。
【００２６】
次に、顕微鏡カバー１０を使用した顕微鏡観察について説明する。
【００２７】
まず、顕微鏡カバー１０が収容部２０に収納されている場合は、開閉蓋２１を開けて、収容部２０から顕微鏡カバー１０を引き出し、接眼レンズ穴１４に接眼レンズ８を通すようにして、顕微鏡カバー１０を顕微鏡１００にかぶせる。接眼レンズ穴１４を覆う蓋１５は、その下端部で係合している蓋係合部２３と蓋係合部２４との係合を解除し、蓋１５を引き上げて蓋係合部２３を蓋保持部１７に係合させる。
【００２８】
その後、カバーホック１８ａ、１８ｂ、１８ｃ、および１８ｄと、ベースホック１９ａ、１９ｂ、１９ｃ、および１９ｄとを、それぞれ係合する。このようにして、顕微鏡カバー１０を顕微鏡１００に装着することにより、標本１を観察する際、光非透過性の顕微鏡カバー１０が周囲の光を遮断するため、標本１上には顕微鏡１００の光源から照射される光のみが照らされ、暗室で観察するのと同様の効果を得ることができる。
【００２９】
一方、顕微鏡カバー１０を顕微鏡１００にかぶせた状態で保管され、かかる状態の顕微鏡１００で顕微鏡観察を行う場合は、すでに顕微鏡カバー１０が顕微鏡にかぶせられているため、接眼レンズ穴１４を覆う蓋１５の係合を解除し、蓋１５を引き上げて蓋係合部２３を蓋保持部１７に係合させた後、接眼レンズ穴１４に接眼レンズ８を通して、接眼レンズを顕微鏡カバー１０外部に露出させた後、カバーホック１８とベースホック１９とを係合して、顕微鏡観察を行えばよい。
【００３０】
本実施の形態１では、カバーホック１８とベースホック１９とを係合することにより顕微鏡カバー１０の下部が固定されるため、顕微鏡カバー１０のめくりあがりを防止するともに、顕微鏡カバー１０と顕微鏡１００との隙間が減少し、より完全な暗室効果を保持することができる。
【００３１】
（実施の形態２）
本発明の実施の形態２にかかる顕微鏡カバーは、顕微鏡カバーの中間部から開口部にかけてスリットを有し、該スリットが形成された顕微鏡カバーの下半部を折り曲げて二つ折り状態で顕微鏡に固定し、顕微鏡のステージより下の部分を露出させる点で実施の形態１と異なる。
【００３２】
図５は、実施の形態２にかかる顕微鏡カバーの概略構成を示す斜視図である。図６は、図５の顕微鏡カバーを顕微鏡に装着した場合の外観の一例を示す斜視図である。
【００３３】
顕微鏡カバー１０Ａは、開口部１１と端部１２との中間部に、係合部としてのカバーホック２８ａ、２８ｂ、２８ｃ、および２８ｄが形成されている。一方、顕微鏡カバー１０Ａが装着される顕微鏡１００Ａには、ステージ２Ａの下部および顕微鏡本体５Ａのステージ２Ａと同じ面位置に、ベースホック２９ａ、２９ｂ、２９ｃ、および２９ｄが形成される。顕微鏡カバー１０Ａのカバーホック２８ａ、２８ｂ、２８ｃ、および２８ｄが形成される位置は、顕微鏡１００Ａに形成されたベースホック２９ａ、２９ｂ、２９ｃ、および２９ｄとの係合が容易に行える位置に形成されるものとする。
【００３４】
また、顕微鏡カバー１０Ａには、カバーホック２８ａ、２８ｂ、２８ｃ、および２８ｄが形成される位置から開口部１１にかけて、スリット２５ａおよび２５ｂが設けられている。スリット２５ａおよび２５ｂが設けられたカバー開閉部２６ａおよび２６ｂは、顕微鏡カバー１０Ａの端部１２方向に折り曲げて使用される。スリット２５ａおよび２５ｂを設けることにより、カバー開閉部２６ａおよび２６ｂの上方向への折り曲げを容易に行える。
【００３５】
カバー開閉部２６ａおよび２６ｂには、開口部１１近傍にカバー開閉保持部２７ａおよび２７ｂがそれぞれ２つ設けられている。カバー開閉保持部２７ａおよび２７ｂは、カバー開閉部２６ａおよび２６ｂを折り曲げた際の、上方両端に設けられる。また、カバー本体部１３Ａの中間部にカバー開閉保持部３０ａおよび３０ｂがそれぞれ２つ設けられる。カバー開閉部２６ａおよび２６ｂを上方向へ折り曲げた後、カバー開閉保持部２７ａおよび２７ｂを、カバー開閉保持部３０ａおよび３０ｂにそれぞれ係合して、カバー開閉部２６ａおよび２６ｂを折り曲げたままカバー開閉部２６ａおよび２６ｂを固定する。また、カバー開閉部２６ａには、スリット２５ａおよび２５ｂ近傍に、カバー開閉保持部２７ｃがそれぞれ２つ設けられる。カバー開閉部２６ｂには、スリット２５ａおよび２５ｂ近傍に、カバー開閉保持部２７ｄがそれぞれ２つ設けられ、カバー開閉保持部２７ｃとカバー開閉保持部２７ｄとをそれぞれ係合させることができる。各カバー開閉保持部は、面ファスナーやマグネットシートなどにより形成すればよい。
【００３６】
本実施の形態２にかかる顕微鏡カバー１０Ａは、カバー開閉部２６を折り曲げたまま固定できるものであればよく、カバー開閉部およびカバー開閉保持部の数、形状は限定されるものではない。
【００３７】
次に、顕微鏡カバー１０Ａを使用した顕微鏡観察について説明する。
【００３８】
まず、顕微鏡カバー１０Ａが収容部２０に収納されている場合は、収容部２０から顕微鏡カバー１０Ａを引き出し、接眼レンズ穴１４に接眼レンズ８を通すようにして、顕微鏡カバー１０を顕微鏡１００にかぶせた後、蓋１５を引き上げて蓋係合部２３を蓋保持部１７に係合させて、接眼レンズ８を露出させる。
【００３９】
カバー開閉部２６ａを上方に折り曲げ、カバー開閉保持部２７ａをカバー開閉保持部３０ａに係合させる。続いて、カバー開閉部２６ｂを上方に折り曲げ、カバー開閉保持部２７ｂを、カバー開閉保持部３０ｂに係合させるとともに、カバー開閉部２６ａと２６ｂのスリット２５ａおよび２５ｂ側の端部を重ね合わせるようにして、カバー開閉保持部２７ｃとカバー開閉保持部２７ｄとを係合させる。
【００４０】
カバーホック２８ａ、２８ｂ、２８ｃおよび２８ｄと、ベースホック２９ａ、２９ｂ、２９ｃ、および２９ｄとを、それぞれ係合する。このようにして、顕微鏡カバー１０Ａを顕微鏡１００Ａに装着することにより、標本１を観察する際、光非透過性の顕微鏡カバー１０Ａが周囲の光を遮断するため、標本１上には顕微鏡１００Ａの光源から照射される光のみが照らされ、暗室で観察するのと同様の効果を得ることができる。
【００４１】
さらに本実施の形態２では、顕微鏡１００Ａは顕微鏡カバー１０Ａによりステージ２Ａから上方のみを覆い、照準ハンドル等が設置されるステージ２Ａ下方は顕微鏡カバー１０Ａで覆われていない。したがって、暗室効果を保ちながら、顕微鏡の操作も通常通り行うことができる。また、保管時には、カバー開閉保持部２７ｃとカバー開閉保持部２７ｄとをそれぞれ係合させた状態で、カバー開閉部２６ａおよび２６ｂを下げれば、実施の形態１と同様の防塵効果を奏することも可能となる。
【００４２】
（実施の形態３）
本発明の実施の形態３にかかる顕微鏡カバーは、カバー本体部１３Ｂの上部に運搬用保持部が形成されている。図７は、実施の形態３にかかる顕微鏡カバーを顕微鏡に装着した場合の外観の一例を示す斜視図である。
【００４３】
本発明の実施の形態３にかかる顕微鏡カバー１０Ｂは、顕微鏡１００Ｂに顕微鏡カバー１０Ｂを装着したまま、顕微鏡１００Ｂを運搬する際の取っ手となる運搬用保持部３１と、顕微鏡１００Ｂの運搬の際、顕微鏡１００Ｂと顕微鏡カバー１０Ｂとを固定支持するための固定用穴部３２と、を備える。
【００４４】
顕微鏡１００Ｂは、ベース部６前方に顕微鏡カバー１０Ｂの固定用穴部３２と係合させる支柱３３を有する。支柱３３を固定用穴部３２に通すことにより、顕微鏡カバー１０Ｂと顕微鏡１００Ｂとを固定する。また、顕微鏡カバー１０Ｂは、開閉蓋２１内の接合部２２で顕微鏡１００Ｂと固定されている。顕微鏡カバー１０Ｂは、顕微鏡１００Ｂの後方で接合部２２とに、前方で支柱３３とにそれぞれ固定支持されているため、運搬の際、顕微鏡１００Ｂを落とすことはない。なお、運搬時には、カバーホック１８と、ベースホック１９とは結合されていても、結合されていなくてもよい。
【００４５】
実施の形態３では、顕微鏡カバー１０Ｂと顕微鏡１００Ｂとを顕微鏡１００Ｂの前後２ケ所で固定支持し、顕微鏡カバー１０Ｂ上部に設けた運搬用保持部３１を把持して顕微鏡１００Ｂを運搬できる。そのため、顕微鏡１００Ｂを抱えて運ぶ際、運搬時に本来持ってはいけない部分を支持することによる、顕微鏡の観察精度の悪化や破損を防止することができる。また、顕微鏡１００Ｂでの観察の際、カバーホック１８とベースホック１９とを係合することにより顕微鏡カバー１０Ｂ下部が固定され、顕微鏡カバー１０Ｂのめくりあがりを防止するともに、顕微鏡カバー１０Ｂと顕微鏡１００Ｂとの隙間が減少し、より完全な暗室効果を保持することができるという効果を奏する。
【００４６】
（実施の形態４）
本発明の実施の形態４にかかる顕微鏡カバー収容箱は、実施の形態１の顕微鏡カバー１０を内部に収容する内部空洞の矩形体状の箱であり、顕微鏡に着脱可能に固定できる。図８は、実施の形態４にかかる運搬用保持部を顕微鏡に取り付ける一例を示す斜視図である。
【００４７】
顕微鏡カバー収容箱４０は、顕微鏡カバー１０を折りたたんで収容する、内部が空洞の矩形体状の収容部４１と、収容部４１に取り付けられ、内部を開閉自在に被覆する開閉蓋４２と、開閉蓋４２の内側に配置された顕微鏡カバー１０を固定する接合部４３と、収容部４１の開閉蓋４２が形成される面と反対側の面に形成され、顕微鏡本体５Ｃに着脱可能に係合される係合凸部４４と、を備える。係合凸部４４は、図８に示すように、鉤型形状を示す。本実施の形態では、係合凸部４４を３ケ所設けているが、後述する顕微鏡本体部５Ｃの係合凹部４５との係合により固定支持できれば、いくつ設けていてもよい。
【００４８】
顕微鏡１００Ｃは、顕微鏡本体部５Ｃの背面側に顕微鏡カバー収容箱４０の係合凸部４４を収容して係合する穴状の係合凹部４５（図示しない）が形成される。係合凸部４４と係合凹部４５は、任意に着脱可能である。なお、顕微鏡１００Ｃと顕微鏡カバー収容箱４０との固定は、鉤型の係合凸部４４と穴状の係合凹部４５との係合の他、ゴムバンドやベルト等を使用してもよく、あるいはネジ等により固定してもよい。
【００４９】
本実施の形態にかかる顕微鏡カバー収容箱４０は、顕微鏡１００Ｃの保管時または観察の際に暗室効果が必要な場合にのみ顕微鏡１００Ｃに係合して、顕微鏡カバー１０を顕微鏡１００Ｃに装着することができ、不要な場合は取り外すことができる。
【産業上の利用可能性】
【００５０】
以上のように、本発明にかかる顕微鏡カバー、顕微鏡、顕微鏡カバー収容手段および顕微鏡観察方法は、暗視野観察や蛍光観察機能を備える顕微鏡に有用である。
【符号の説明】
【００５１】
１  標本
２  ステージ
３  レボルバ
４  対物レンズ
５  顕微鏡本体
６  ベース部
７  鏡筒
８  接眼レンズ
１０  顕微鏡カバー
１１  開口部
１２  端部
１３  カバー本体部
１４  接眼レンズ穴
１５  蓋
１６  蓋固定部
１７  蓋保持部
１８  カバーホック
１９  ベースホック
２０  収容部
２１、４２  開閉蓋
２２、４３  接合部
２３、２４  蓋係合部
２５  スリット
２６  カバー開閉部
２７、３０  カバー開閉保持部
３１  運搬用保持部
４０  運搬用保持部
４１  収容部
４４  係合凸部
１００  顕微鏡
【図１】
2012123203.tif 000003
【図２】
2012123203.tif 000004
【図３】
2012123203.tif 000005
【図４】
2012123203.tif 000006
【図５】
2012123203.tif 000007
【図６】
2012123203.tif 000008
【図７】
2012123203.tif 000009
【図８】
2012123203.tif 000010